(57)【要約】【課題】外部電源の接続を確実に検知し、外部電源に基づく供給電圧を昇圧して蓄電部の充電を行い得る車載用電源装置を提供する。【解決手段】車載用電源装置１は、外部電源Ｂｐからの電力供給路Ｌｐを接続するときの接続対象部位となる外部端子Ｐ３と、外部端子Ｐ３に電力供給路Ｌｐが接続されたことを検知する検知部３０と、少なくとも外部端子Ｐ３に電力供給路Ｌｐが接続されている場合に、外部端子Ｐ３側から第２導電路２２側に電流が流れることが許容される給電回路部４０とを有する。制御部１０は、電圧変換部１２の降圧動作及び昇圧動作を制御し、外部端子Ｐ３と電力供給路Ｌｐとの接続を検知部３０が検知した場合に電圧変換部１２に昇圧動作を行わせる。【選択図】図１
2018094954.tif 000002
【特許請求の範囲】
【請求項１】
車載用の蓄電部に電気的に接続される第１導電路及び第２導電路に接続され、前記第１導電路に印加された電圧を降圧して第２導電路に印加する降圧動作と、前記第２導電路に印加された電圧を昇圧して前記第１導電路に印加する昇圧動作とを行う電圧変換部と、
外部電源からの電力供給路を接続するときの接続対象部位となる外部端子と、
前記外部端子に前記電力供給路が接続されたことを検知する検知部と、
少なくとも前記外部端子に前記電力供給路が接続されている場合に、前記外部端子側から前記第２導電路側に電流が流れることが許容される給電回路部と、
前記電圧変換部の前記降圧動作及び前記昇圧動作を制御し、前記外部端子と前記電力供給路との接続を前記検知部が検知した場合に前記昇圧動作を行わせる制御部と、
を有する車載用電源装置。
【請求項２】
前記給電回路部は、少なくとも前記第２導電路が所定の正常出力状態である場合に前記第２導電路から前記外部端子側に電流が流れることを遮断し、前記外部端子に前記電力供給路が接続された場合に前記外部端子側から前記第２導電路側に電流が流れる請求項１に記載の車載用電源装置。
【請求項３】
前記給電回路部は、
前記外部端子にアノードが電気的に接続され前記第２導電路にカソードが電気的に接続されたダイオード部と、前記第２導電路と前記外部端子との間で導通状態と非導通状態とに切り替わるスイッチ部とを備えた半導体スイッチと、
前記外部端子と前記電力供給路との接続を前記検知部が検知していない場合に前記スイッチ部を非導通状態とし、前記外部端子と前記電力供給路との接続を前記検知部が検知した場合に前記スイッチ部を導通状態とする切替部と、
を有する請求項２に記載の車載用電源装置。
【請求項４】
前記給電回路部は、前記外部端子にアノードが電気的に接続され前記第２導電路にカソードが電気的に接続されたダイオードによって構成されている請求項２に記載の車載用電源装置。
【請求項５】
前記第１導電路には発電機が接続され、
前記制御部は、前記外部端子と前記電力供給路との接続を前記検知部が検知した場合に、前記発電機の出力電圧よりも低い電圧を前記第１導電路に出力するように前記電圧変換部に前記昇圧動作を行わせる請求項１から請求項４のいずれか一項に記載の車載用電源装置。
【請求項６】
前記電圧変換部は、前記降圧動作又は前記昇圧動作を選択的に行う昇降圧回路部を備える請求項１から請求項５のいずれか一項に記載の車載用電源装置。
【請求項７】
前記電圧変換部は、
前記第１導電路に印加された電圧を降圧して前記第２導電路に印加する前記降圧動作を行う降圧回路部と、
前記降圧回路部とは別の経路として構成され、前記第２導電路に印加された電圧を昇圧して前記第１導電路に印加する昇圧回路部と、
を備える請求項１から請求項５のいずれか一項に記載の車載用電源装置。
【請求項８】
前記制御部は、前記外部端子と前記電力供給路との接続を前記検知部が検知した場合に、前記昇圧回路部に前記昇圧動作を行わせつつ前記降圧回路部に前記降圧動作を行わせ、前記昇圧回路部及び前記降圧回路部がいずれも動作する期間を生じさせる請求項７に記載の車載用電源装置。
【発明の詳細な説明】
【技術分野】
【０００１】
本発明は、車載用電源装置に関するものである。
【背景技術】
【０００２】
車載用のシステムとして、低圧系と高圧系の二系統に電力を供給するシステムが知られており、このシステムに関連する技術として、特許文献１のような技術が提案されている。特許文献１で開示される給電回路は、高電圧直流電源と低電圧用負荷との間に電圧降下用のＤＣ−ＤＣコンバータとして小容量ＤＣ−ＤＣコンバータ及び大容量ＤＣ−ＤＣコンバータを設けており、必要供給電力に応じてコンバータを切り替えて用いる構成となっている。
【先行技術文献】
【特許文献】
【０００３】
【特許文献１】特開２００１−２０４１３７号公報
【発明の概要】
【発明が解決しようとする課題】
【０００４】
特許文献１のように、低圧系と高圧系の二系統に電力を供給するシステムでは、高圧系に蓄電部を設け、この高圧系の蓄電部の出力を降圧して低圧系の負荷に対しても利用できるようにすれば、低圧系の蓄電部の必要性を低減又は無くすことができ、低圧系の蓄電部の削減又は小型化が可能となる。例えば、高圧系の蓄電部の電力によってスタータを動作させることができれば、エンジン始動時に低圧系の蓄電部が不要となるため、低圧系の蓄電部を省略又は小型化しやすくなる。
【０００５】
しかし、このように高圧系の蓄電部に依存する構成では、高圧系の蓄電部の容量が著しく低下した場合に対応しにくいという問題がある。
【０００６】
高圧系の蓄電部の容量が著しく低下した場合、このままではスタータを動作させることができず、エンジンを始動させることができないため、例えば、他の車両に搭載されたバッテリ（例えば、１２Ｖバッテリ）などの外部電源を用いて高圧系の蓄電部を充電しなければならない。しかし、出力電圧が低いバッテリを外部電源として用いる場合、そのまま接続しても充電動作を行うことができないため、外部電源が接続されたことを確実に検知した上で、外部電源の出力を昇圧し、高圧系の蓄電部に供給するような構成が必要となる。
【０００７】
本発明は、本発明は上述した事情に基づいてなされたものであり、外部電源の接続を確実に検知し、外部電源に基づく供給電圧を昇圧して蓄電部の充電を行い得る車載用電源装置を提供することを目的とするものである。
【課題を解決するための手段】
【０００８】
本発明の一例である車載用電源装置は、
車載用の蓄電部に電気的に接続される第１導電路及び第２導電路に接続され、前記第１導電路に印加された電圧を降圧して第２導電路に印加する降圧動作と、前記第２導電路に印加された電圧を昇圧して前記第１導電路に印加する昇圧動作とを行う電圧変換部と、
外部電源からの電力供給路を接続するときの接続対象部位となる外部端子と、
前記外部端子に前記電力供給路が接続されたことを検知する検知部と、
少なくとも前記外部端子に前記電力供給路が接続されている場合に、前記外部端子側から前記第２導電路側に電流が流れることが許容される給電回路部と、
前記電圧変換部の前記降圧動作及び前記昇圧動作を制御し、前記外部端子と前記電力供給路との接続を前記検知部が検知した場合に前記昇圧動作を行わせる制御部と、
を有する。
【発明の効果】
【０００９】
上記車載用電源装置では、外部端子に電力供給路が接続されたことを検知部が検知し、給電回路部では、少なくとも外部端子に外部の電力供給路が接続されている場合に、外部端子側から第２導電路側に電流が流れることが許容される。そして、制御部は、このように外部端子を介して外部から第２導電路側に電力が供給される状態で電圧変換部に昇圧動作を行わせるため、蓄電部に電気的に接続された第１導電路に対して相対的に高い電圧を印加することができ、蓄電部の充電を良好に行うことができる。特に、蓄電部の充電電圧が低下して車載機器を動作させることに支障が生じるような場面において、外部電源の接続を確実に検知し、外部電源に基づく供給電圧を昇圧した形で蓄電部の充電が可能となるため、このような場面で適正な復帰が可能となる。
【図面の簡単な説明】
【００１０】
【図１】図１は、実施例１の車載用電源装置を備えた車載用電源システムを概略的に示す回路図である。
【図２】図２は、図１の車載用電源システムにおいて外部端子に外部電源からの電力供給路が接続された状態を示す説明図である。
【図３】図３は、図１の車載用電源システムにおける制御シーケンスを概念的に示すタイミングチャートである。
【図４】図４は、実施例２の車載用電源装置を備えた車載用電源システムを概略的に示す回路図である。
【図５】図５は、他の実施例の車載用電源装置を備えた車載用電源システムを概略的に示す回路図である。
【発明を実施するための形態】
【００１１】
ここで、発明の望ましい例を示す。
【００１２】
給電回路部は、少なくとも第２導電路が所定の正常出力状態である場合に第２導電路から外部端子側に電流が流れることを遮断し、外部端子に電力供給路が接続された場合に外部端子側から第２導電路側に電流が流れる構成であってもよい。
【００１３】
このように構成された車載用電源装置は、第２導電路に印加される電圧が正常出力状態であるときには、第２導電路から外部端子側に電流が流れることを防ぎ、第２導電路の影響を受けにくい状態で外部端子を維持することができる。一方で、外部端子に電力供給路が接続された場合（即ち、外部電源から外部端子を介して電力が供給され得る場合）には、外部端子側から第２導電路側に電流が流れる状態となり、外部電源に基づく入力電圧を昇圧して第１導電路に印加する昇圧動作を行うことが可能となる。
【００１４】
給電回路部は、外部端子にアノードが電気的に接続され第２導電路にカソードが電気的に接続されたダイオード部と、第２導電路と外部端子との間で導通状態と非導通状態とに切り替わるスイッチ部とを備えた半導体スイッチと、外部端子と電力供給路との接続を検知部が検知していない場合にスイッチ部を非導通状態とし、外部端子と電力供給路との接続を検知部が検知した場合にスイッチ部を導通状態とする切替部と、を有していてもよい。
【００１５】
このように構成された車載用電源装置は、外部端子と電力供給路との接続（即ち、外部電源から外部端子を介して電力が供給される状態）を検知部が検知していない場合には第２導電路から外部端子側に電流が流れることを防ぎ、外部端子と電力供給路との接続を検知部が検知した場合には、スイッチ部を導通状態とすることができるため、外部端子側から第２導電路側に電流を流すことができ、且つその際の導通損失を抑えることができる。
【００１６】
給電回路部は、外部端子にアノードが電気的に接続され第２導電路にカソードが電気的に接続されたダイオードによって構成されていてもよい。
【００１７】
このように構成された車載用電源装置は、第２導電路が所定の正常出力状態である場合に第２導電路から外部端子側に電流が流れることを遮断し、外部端子に電力供給路が接続された場合に外部端子側から第２導電路側に電流を流し得る回路を、より簡易に構成することができる。
【００１８】
第１導電路には発電機が接続されていてもよい。制御部は、外部端子と電力供給路との接続を検知部が検知した場合に、発電機の出力電圧よりも低い電圧を第１導電路に出力するように電圧変換部に昇圧動作を行わせてもよい。
【００１９】
このように構成された車載用電源装置は、例えば、発電機の発電と電圧変換部による昇圧動作とを同時期に行う場合に、発電機の電力を優先的に利用して蓄電部を充電することができるため、外部電源の電力消費を抑えやすくなる。
【００２０】
電圧変換部は、降圧動作又は昇圧動作を選択的に行う昇降圧回路部を備えていてもよい。
【００２１】
このように構成された車載用電源装置は、降圧動作を行うべき正常時には第１導電路に印加された電圧を降圧して第２導電路に印加する降圧動作を行うことができ、外部端子に外部電源を電気的に接続させて充電させるべき場合には外部端子に電力供給路が接続されたことを条件として昇圧動作を行うことができる構成を、より簡易に実現することができる。
【００２２】
電圧変換部は、第１導電路に印加された電圧を降圧して第２導電路に印加する降圧動作を行う降圧回路部と、降圧回路部とは別の経路として構成され、第２導電路に印加された電圧を昇圧して第１導電路に印加する昇圧回路部と、を備えていてもよい。
【００２３】
この車載用電源装置は、正常状態のときに、第１導電路に印加された電圧を降圧して第２導電路に印加するように降圧回路部によって降圧動作を行うことができ、外部端子に電力供給路が接続されたときには、第２導電路に印加された電圧を昇圧して第１導電路に印加するように昇圧回路部によって昇圧動作を行うことができる。降圧動作と昇圧動作とを別々の回路部で独立して行うことができるため、いずれか一方の動作が他方の動作の制約を受けにくくなる。
【００２４】
制御部は、外部端子と電力供給路との接続を検知部が検知した場合に、昇圧回路部に昇圧動作を行わせつつ降圧回路部に降圧動作を行わせ、昇圧回路部及び降圧回路部がいずれも動作する期間を生じさせるように機能してもよい。
【００２５】
この車載用電源装置は、蓄電部を充電し得る昇圧動作時に降圧動作を並行して行うことができるため、充電時であっても第２導電路に接続された機器に対して適正な電力を供給することができる。
【００２６】
＜実施例１＞
以下、本発明を具体化した実施例１について説明する。
図１で示す車載用電源システム１００（以下、電源システム１００ともいう）は、高圧系の電源路８１と低圧系の電源路８２の二系統に電力を供給し得るシステムとして構成されている。電源システム１００は、高圧系の電源路８１に相対的に高い電圧（例えば４８Ｖ程度）を印加し、低圧系の電源路８２に相対的に低い電圧（例えば１２Ｖ程度）を印加する電源システムとなっており、電源路８１，８２に接続された電気機器に電力を供給し得るシステムとして構成されている。
【００２７】
電源システム１００は、主として、発電機９２、蓄電装置９４、電源路８１，８２、車載用電源装置１（以下、電源装置１ともいう）などを備え、１又は複数の制御装置（図１の例では、車両制御ＥＣＵ７０）によって制御される構成をなす。電源システム１００において、高圧系の電源路８１には発電機９２や蓄電装置９４が電気的に接続され、低圧系の電源路８２には低圧系の負荷９８が接続されている。なお、図示はしていないが、高圧系の電源路８１に、ヒータなどの高圧系の負荷が接続されていてもよい。電源路８１及び電源路８２は、電力を伝送する電力路として機能する配線部である。
【００２８】
車両制御ＥＣＵ７０は、発電機９２、蓄電装置９４、電源装置１からの情報受信及びこれらに対する情報送信を行い得る車載用の電子制御装置であり、１又は複数の情報処理装置、記憶装置、ＡＤ変換器など、様々な装置を備えてなる。車両制御ＥＣＵ７０は、スタータ９３にスタータ動作を指示する機能、蓄電装置９４にリレー９４Ｂのオンオフ動作を指示する機能、制御装置１０に対し、昇圧動作や降圧動作を指示する機能などを有する。なお、車両制御ＥＣＵ７０は、単一の電子制御装置によって構成されていてもよく、複数の電子制御装置によって構成されていてもよい。
【００２９】
発電機９２は、公知の車載用発電機として構成され、エンジン（図示略）の回転軸の回転によって発電する機能を備える。スタータ９３は、公知の車載用スタータとして構成され、エンジンの回転軸に対して回転力を与えるスタータとしての機能とを備える。発電機９２が動作する場合、発電機９２の発電によって生じた電力は整流後に直流電力として蓄電装置９４に供給される。発電機９２は、発電時に、例えば所定値Ｖ１（例えば、４８Ｖ程度）の出力電圧を電源路８１に印加する。スタータ９３は、エンジンが停止状態であるときに蓄電装置９４から電力供給を受けて動作し、エンジンに対し始動用の回転力を与える。
【００３０】
蓄電装置９４は、車載用の蓄電部９４Ａ（以下、蓄電部９４Ａともいう）とリレー９４Ｂとを備える。
【００３１】
蓄電部９４Ａは、例えば、電気二重層コンデンサ、鉛バッテリ、リチウムイオン電池などの公知の車載用蓄電手段によって構成されており、リレー９４Ｂ及びヒューズ９６を介して電源路８１に電気的に接続されている。蓄電部９４Ａは、満充電時の出力電圧が例えば４８Ｖであり、満充電時には高電位側の端子が４８Ｖ程度に保たれる。蓄電部９４Ａの低電位側の端子は、例えばグラウンド電位（０Ｖ）に保たれている。
【００３２】
リレー９４Ｂは、蓄電部９４Ａの出力端子（高電位側の端子）と電源路８１との間に設けられ、蓄電部９４Ａと電源路８１との間の導通及び非導通を切り替えるように動作する。例えば、蓄電装置９４の内部或いは電源装置１の内部に図示しない蓄電制御装置が設けられ、蓄電部９４Ａの過放電を監視し得るように構成されている。例えば、この蓄電制御装置は、蓄電部９４Ａの出力電圧を監視し、蓄電部９４Ａの出力電圧が閾値電圧Ｖｔｈ１（上記所定値Ｖ１よりも低く設定された閾値）以上である場合には、リレー９４Ｂをオン状態で維持し、蓄電部９４Ａと電源路８１との間を通電状態とする。一方、蓄電制御装置は、蓄電部９４Ａの出力電圧が閾値電圧Ｖｔｈ１未満となった場合にリレー９４Ｂをオフ状態とし、蓄電部９４Ａと電源路８１との間の通電を遮断する。なお、リレー９４Ｂと電源路８１との間には、過電流時に電流を遮断するヒューズ９６が設けられている。
【００３３】
低圧系の負荷９８は、車両に搭載される公知の車載用電気機器であり、第２導電路２２に接続された電源路８２を介して供給される電力によって動作し得る機器であればよい。従って、負荷９８の種類や数は限定されない。
【００３４】
電源装置１は、昇圧動作及び降圧動作を行い得るスイッチング電源装置として構成されている。
【００３５】
電源装置１は、第１導電路２１、第２導電路２２、制御装置１０、電圧変換部１２、検知部３０、補助回路部４２、ダイオード３２、端子Ｐ１，Ｐ２、外部端子Ｐ３、第１電流センサ及び第２電流センサ（図示略）、第１電圧センサ及び第２電圧センサ（図示略）などを備える。
【００３６】
第１導電路２１は、所定電圧Ｖ１の直流電圧を出力する発電機９２が電気的に接続された導電路であり、車両動作中に第２導電路２２よりも相対的に高い電圧が印加される高圧側の電源ラインとして構成されている。第１導電路２１は、電源路８１に接続されるとともに、この電源路８１を介して発電機９２及び蓄電部９４Ａに電気的に接続されている。第１導電路２１には、発電機９２又は蓄電部９４Ａの出力に応じた電圧が印加される。図１の例では、第１導電路２１の端部に端子Ｐ１が設けられ、この端子Ｐ１に外部の電源路８１が接続されている。
【００３７】
第２導電路２２は、車両動作中に第１導電路２１よりも相対的に低い電圧が印加される低圧側の電源ラインとして構成されている。第２導電路２２は、電圧変換部１２が降圧モードで降圧動作を行っているときに電圧変換部１２からの出力電圧（例えば１２Ｖ程度の出力電圧）が印加される。図１の例では、第２導電路２２の端部に端子Ｐ２が設けられ、この端子Ｐ２に外部の電源路８２が接続されている。
【００３８】
制御装置１０は、電圧変換部１２を制御する制御部１０Ａとして機能する部分と、補助回路部４２を切り替える切替部１０Ｂとして機能する部分とを備える。この制御装置１０は、具体的には、演算機能を有する制御回路と、制御回路からの信号に応じたＰＷＭ信号を出力する駆動回路とを有する。制御回路は、例えば、マイクロコンピュータとして構成され、ＣＰＵ等の演算装置、ＲＯＭやＲＡＭ等のメモリ、Ａ／Ｄ変換器などを有する。駆動回路は、制御回路で決定されたデューティ比のＰＷＭ信号を出力し、電圧変換部１２に昇圧動作又は降圧動作を行わせるように機能する。これら制御回路及び駆動回路が制御部１０Ａとして機能する。また、制御回路は、切替部１０Ｂとしても機能し、半導体スイッチ４４のオンオフを制御し得る構成となっている。更に、制御装置１０は、後述する検知部３０から検知信号や非検出信号が入力され得る構成となっている。制御装置１０は、図示しない電圧検出回路から蓄電部９４Ａの出力電圧（充電電圧）が入力されるようになっていてもよく、リレー９４Ｂがオン状態であるかオフ状態であるかを特定し得る信号が入力されるようになっていてもよい。なお、ここでは、制御回路が制御部１０Ａとしても機能し、切替部１０Ｂとしても機能する例を挙げたが、制御部１０Ａと切替部１０Ｂとが別々の回路として構成され、それぞれが検知部３０からの信号を取得し得る構成となっていてもよい。
【００３９】
電源装置１には、図示しない第１電流センサ及び第２電流センサが設けられ、第１導電路２１及び第２導電路２２の各電流値を検出し得る。第１電流センサは、公知の電流検出回路によって構成され、第１導電路２１を流れる電流値を検出し、その電流値を示すアナログ電圧信号を制御装置１０に入力する。同様に、第２電流センサも、公知の電流検出回路によって構成され、第２導電路２２を流れる電流値を検出し、その電流値を示すアナログ電圧信号を制御装置１０に入力する。制御装置１０における制御部１０Ａは、これらアナログ電圧信号を取得し得る。
【００４０】
電源装置１には、図示しない第１電圧センサ及び第２電圧センサが設けられ、第１導電路２１及び第２導電路２２の各電圧値を検出し得る。第１電圧センサは、公知の電圧検出回路によって構成され、第１導電路２１の電圧値を検出し、その電圧値を示すアナログ電圧信号を制御装置１０に入力する。同様に、第２電圧センサも、公知の電圧検出回路によって構成され、第２導電路２２の電圧値を検出し、その電圧値を示すアナログ電圧信号を制御装置１０に入力する。制御装置１０における制御部１０Ａは、これらアナログ電圧信号を取得し得る。
【００４１】
電圧変換部１２は、蓄電部９４Ａに電気的に接続される第１導電路２１と第２導電路２２との間において、これらの導電路に接続された形で設けられている。電圧変換部１２は、昇降圧回路部の一例に相当し、第１導電路２１に印加された電圧を降圧して第２導電路２２に印加する降圧動作と、第２導電路２２に印加された電圧を昇圧して第１導電路２１に印加する昇圧動作とを選択的に行う回路として構成されている。電圧変換部１２は、例えば、半導体スイッチング素子及びインダクタなどを備えてなる公知の双方向型昇降圧ＤＣＤＣコンバータとして構成されている。具体的には、電圧変換部１２は、例えば同期整流方式の非絶縁型ＤＣＤＣコンバータとして構成され、降圧動作を行う場合、第１導電路２１に印加された入力電圧を同期整流方式で降圧して第２導電路２２に出力し、昇圧動作を行う場合、第２導電路２２に印加された入力電圧を同期整流方式で昇圧して第１導電路２１に出力する。
【００４２】
制御装置１０のうち、制御部１０Ａとして機能する部分は、電圧変換部１２に降圧動作を行わせる降圧モードの制御と、電圧変換部１２に昇圧動作を行わせる昇圧モードの制御とを行いうる。
【００４３】
制御部１０Ａは、降圧モードの制御を行う場合、電圧変換部１２に対して降圧動作用の制御信号（ＰＷＭ信号）を与え、第１導電路２１に印加された電圧を降圧して第２導電路２２に印加するように電圧変換部１２に降圧動作を行わせる。降圧モードでは、電圧変換部１２から第２導電路２２に出力する出力電圧が所定の目標電圧Ｖａ（例えば、１２Ｖ）となるように制御信号（ＰＷＭ信号）のフィードバック制御がなされ、制御信号（ＰＷＭ信号）のデューティはフィードバック演算によって調整される。
【００４４】
制御部１０Ａは、昇圧モードの制御を行う場合、電圧変換部１２に対して昇圧動作用の制御信号（ＰＷＭ信号）を与え、第２導電路２２に印加された電圧を昇圧して第１導電路２１に印加するように電圧変換部１２に昇圧動作を行わせる。昇圧モードでは、電圧変換部１２から第１導電路２１に出力する出力電圧が所定の目標電圧Ｖｂ（発電機９２の出力電圧Ｖ１よりも少し低い値）となるように制御信号（ＰＷＭ信号）のフィードバック制御がなされ、制御信号（ＰＷＭ信号）のデューティはフィードバック演算によって調整される。
【００４５】
外部端子Ｐ３は、外部電源Ｂｐからの電力供給路Ｌｐを接続するときの接続対象部位となる端子である。外部電源Ｂｐは、電力供給路Ｌｐを介して電力を供給し得る電源であればよく、例えば、出力電圧が１２Ｖ程度の鉛バッテリなど、公知の蓄電池が挙げられる。電力供給路Ｌｐは、外部電源Ｂｐの正側の出力端子と外部端子Ｐ３とを電気的に接続し得る導電路であればよく、公知のブースタケーブルなどであってもよく、これ以外の配線部であってもよい。外部端子Ｐ３は、図２のように、電力供給路Ｌｐによって外部電源Ｂｐの正側の電極部が電気的に接続された場合に、外部電源Ｂｐの出力電圧が印加される。
【００４６】
給電回路部４０は、補助回路部４２と上述した制御装置１０（具体的には制御装置１０のうちの切替部１０Ｂ）とによって構成されている。補助回路部４２は、半導体スイッチ４４及び半導体スイッチ４４を各部位（第２導電路２２、外部端子Ｐ３、制御装置１０）に電気的に接続する導電路によって構成されている。半導体スイッチ４４は、例えば、Ｎチャンネル型のＭＯＳＦＥＴとして構成されており、ドレインが第２導電路２２に電気的に接続され、ソースが外部端子Ｐ３及びダイオード３２のアノードに電気的に接続され、ゲートは制御装置１０からの信号線に接続されている。
【００４７】
半導体スイッチ４４は、外部端子Ｐ３にアノードが電気的に接続され第２導電路２２にカソードが電気的に接続されたボディダイオードであるダイオード部４４Ｂと、第２導電路２２と外部端子Ｐ３との間で導通状態と非導通状態とに切り替わるスイッチ部４４Ａ（ボディダイオードを除く部分）とを備える。制御装置１０のうちの切替部１０Ｂとして機能する部分は、半導体スイッチ４４のゲートに対して、オン信号及びオフ信号を選択的に出力する。切替部１０Ｂから半導体スイッチ４４のゲートにオン信号が与えられた場合には、半導体スイッチ４４がオン状態となり、オフ信号が与えられた場合には、半導体スイッチ４４がオフ状態となる。具体的には、切替部１０Ｂは、検知部３０からの信号を検出し得る構成をなし、外部端子Ｐ３と電力供給路Ｌｐとの接続を検知部３０が検知していない場合にスイッチ部４４Ａを非導通状態とし、外部端子Ｐ３と電力供給路Ｌｐとの接続を検知部３０が検知した場合にスイッチ部４４Ａを導通状態とする。なお、図１では、半導体スイッチ４４を例示したが、半導体スイッチ４４又はスイッチ部４４Ａを機械式リレーなどの他のスイッチに置き換えてもよい。
【００４８】
このように構成された給電回路部４０は、少なくとも外部端子Ｐ３に電力供給路Ｌｐが接続されている場合に、外部端子Ｐ３側から第２導電路２２側に電流が流れることが許容される。具体的には、給電回路部４０は、第２導電路２２が所定の正常出力状態である場合（第２導電路２２に所定閾値以上の電圧が印加され、且つ、外部端子Ｐ３に電力供給路Ｌｐが接続されていない場合）に第２導電路２２から外部端子Ｐ３側に電流が流れることを遮断し、外部端子Ｐ３に電力供給路Ｌｐが接続された場合に外部端子Ｐ３側から第２導電路２２側に電流が流れる構成となっている。
【００４９】
ダイオード３２は、外部端子Ｐ３側から検知部３０側に電流が流れることを許容し、その逆方向に電流が流れることを規制する素子である。図１の構成では、外部端子Ｐ３に電力供給路Ｌｐが接続されることで外部端子Ｐ３に外部電源Ｂｐの出力電圧が印加された場合、導電路３４に対して外部電源Ｂｐの出力電圧に応じた電圧（ダイオード３２の電圧降下分を差し引いた電圧）が印加される。後述の閾値電圧Ｖｔｈ２は、想定される外部電源Ｂｐの出力電圧（例えば、１２Ｖ）よりも低い値となっており、想定される外部電源Ｂｐの出力電圧（例えば、１２Ｖ）が外部端子Ｐ３に印加された場合、導電路３４の電圧は閾値電圧Ｖｔｈ２よりも十分大きくなる。一方、外部端子Ｐ３に電力供給路Ｌｐが接続されないオープン状態のときには、導電路３４は、後述の閾値電圧Ｖｔｈ２よりも十分小さい低レベルとなる。
【００５０】
検知部３０は、外部端子Ｐ３に電力供給路Ｌｐが接続されたことを検知する回路である。この検知部３０は、例えば、導電路３４に印加される電圧が閾値電圧Ｖｔｈ２以上であるか否かを判定する判定回路として構成され、導電路３４に印加される電圧が閾値電圧Ｖｔｈ２以上である場合には、制御装置１０に所定の検知信号を出力する。導電路３４に印加される電圧が閾値電圧Ｖｔｈ２未満の場合、検知部３０は、制御装置１０に所定の非検知信号を出力する。制御装置１０において、制御部１０Ａ及び切替部１０Ｂは、検知部３０から検知信号及び非検知信号のいずれが出力されているかを認識し得る。
【００５１】
次に、電源システム１００でなされる具体的な動作を詳述する。
図１の電源システム１００は、例えば、低圧系の電源路８２にバッテリが接続されておらず、高圧系の電源路８１に接続された蓄電部９４Ａの出力を降圧して低圧系の電源路８２に供給するシステムとなっている。更に、高圧系の電源路８１に発電機９２及びスタータ９３が設けられている。このような構成では、何らかの理由で蓄電部９４Ａの出力が低下或いは停止した場合、スタータ９３にスタータ動作を行わせることができずにエンジンを始動できない虞がある。そこで、電源装置１では、このような非常時に、外部電源Ｂｐからの電力を用いて昇圧動作を行い、蓄電部９４Ａを適正な充電電圧まで復帰できるようにしている。
【００５２】
図３は、図１の電源システム１００における制御シーケンスを示すタイミングチャートである。図３において、第１段は第２導電路２２の状態の経時変化を示し、第２段は、外部端子の状態の経時変化を示し、第３段は、電圧変換部１２の状態の経時変化を示し、第４段は、車両制御ＥＣＵ７０の状態の経時変化を示し、第５段は、蓄電装置９４の状態の経時変化を示す。
【００５３】
図３の例では、時間ｔ１より前の時間帯は、イグニッションスイッチがオフの状態であり、エンジン及び発電機９２が停止している状態である。時間ｔ１より前の時間帯は、蓄電部９４Ａの出力電圧が閾値電圧Ｖｔｈ１以上となっている状態（過放電となっていない状態）である。この時間帯では、蓄電部９４Ａの出力電圧が閾値電圧Ｖｔｈ１以上であるため、蓄電制御装置によってリレー９４Ｂがオン状態で維持され、蓄電部９４Ａの出力に応じた電圧が電源路８１に印加される。時間ｔ１より前の時間帯では、車両制御ＥＣＵ７０は所定のスリープ状態で維持されていてもよく、停止状態となっていてもよい。また、時間ｔ１より前の時間帯では、制御装置１０の制御部１０Ａによって電圧変換部１２が暗電流モードで降圧制御され、第２導電路２２を介して車両制御ＥＣＵ７０などの最低限の機器に動作電力が供給される。時間ｔ１よりも前の時間帯は、正常な停止状態（蓄電部９４Ａから電源路８１に閾値電圧Ｖｔｈ１以上の電圧が印加され、且つ電圧変換部１２によって電力供給がなされている状態）であり、スタータ９３に対してスタータ動作させる電力が確保されている状態であるため、外部端子Ｐ３に外部電源Ｂｐを接続する必要はない。
【００５４】
図３の例では、時間ｔ１の時点で蓄電部９４Ａの出力電圧が閾値電圧Ｖｔｈ１未満となり、蓄電制御装置によって時間ｔ１からリレー９４Ｂがオフ状態に切り替えられている。つまり、時間ｔ１以降に蓄電部９４Ａからの出力が停止し、電源路８１及び第１導電路２１に電力が供給されなくなっている。このように電圧変換部１２に適正な入力がなされなくなると、電圧変換部１２から第２導電路２２に適正な出力電圧（例えば、１２Ｖ）が出力できなくなり、電圧変換部１２は停止状態となる。時間ｔ１以降は、蓄電部９４Ａからの出力が停止し続け、電圧変換部１２の出力停止状態が継続するため、車両制御ＥＣＵ７０に対しても電力供給がなされず、車両制御ＥＣＵ７０の動作も停止する。
【００５５】
このように、時間ｔ２の後、後述する時間ｔ３の前には、第１導電路２１及び第２導電路２２のいずれにも電力が供給されない状態となり、第１導電路２１及び第２導電路２２のいずれにも適正な電圧が印加されない状態となる。この状態では、スタータ９３の動作電力が確保できず、エンジンを始動させることができない。つまり、発電機９２を動作させて蓄電部９４Ａを充電することができず、蓄電装置９４を復帰させることができない。
【００５６】
このような状態を解消するために、図２のように外部端子Ｐ３に対して外部電源Ｂｐに接続された電力供給路Ｌｐを接続すると、外部端子Ｐ３を介して外部電源Ｂｐからの電力が供給される。所定電圧（例えば１２Ｖ）を出力し得る外部電源Ｂｐが外部端子Ｐ３に対して電気的に接続されると、導電路３４の電圧が、上述した閾値電圧Ｖｔｈ２以上となるため、検知部３０がこの状態（外部端子Ｐ３に外部電源Ｂｐが電気的に接続された状態であり、導電路３４の電圧が閾値電圧Ｖｔｈ２以上となった状態）を検知し、制御装置１０に対して上述した検知信号を出力する。
【００５７】
一方、制御装置１０は、外部端子Ｐ３に対して電力供給路Ｌｐが接続され、外部端子Ｐ３に外部電源Ｂｐが電気的に接続されたときに、外部端子Ｐ３又は導電路３４に接続された図示しない経路を介して外部電源Ｂｐからの電力を受け得る構成となっている。つまり、外部端子Ｐ３に外部電源Ｂｐが電気的に接続された場合、制御装置１０は外部電源Ｂｐからの電力供給によって動作可能状態（図３で示す「起動」の状態）となる。そして、制御装置１０は、このように動作可能状態となった後、検知部３０から検知信号を受けた場合には、この受信に応じて、制御部１０Ａにより車両制御ＥＣＵ７０に対して所定の通知信号を出力する動作と、切替部１０Ｂにより半導体スイッチ４４にオン信号を出力する動作とを行う。なお、所定の通知信号は、少なくとも車両制御ＥＣＵ７０が起動してこの信号を受信するまでは出力され、半導体スイッチ４４に対するオン信号は、少なくとも後述する降圧動作が実行されるまでは継続される。
【００５８】
切替部１０Ｂが半導体スイッチ４４にオン信号を出力すると、オン信号の出力を開始した時間ｔ３で半導体スイッチ４４がオン状態となり、外部電源Ｂｐからの電力が半導体スイッチ４４を介して第２導電路２２に供給される。半導体スイッチ４４がオン状態となった後には、第２導電路２２に外部電源Ｂｐの出力電圧（例えば１２Ｖ）程度の電圧が印加される。なお、時間ｔ２から時間ｔ３の間にもダイオード部４４Ｂ（ボディダイオード）を介して電力が供給されるが、時間ｔ３の後は、損失が抑えられた状態でより多くの電流を流すことができる。
【００５９】
一方、車両制御ＥＣＵ７０は、少なくとも時間ｔ３の時点で第２導電路２２を介して動作電圧が供給されるため、動作可能状態（図３で示す「起動」の状態）となる。車両制御ＥＣＵ７０は、このように動作可能状態となった後、制御部１０Ａから送信された上記所定の通知信号を受信すると、この通知信号に応じて、蓄電部９４Ａが充電すべき状態であるか否かを判定する。車両制御ＥＣＵ７０は、所定の充電開始条件の成立時（例えば、蓄電部９４Ａの出力電圧（充電電圧）が所定の充電判定閾値以下であると判定した場合）に、制御部１０Ａに対して充電を指示する充電指示信号を出力するとともに、上述した蓄電制御装置（図示略）に対してリレー９４Ｂのオン動作を指示するオン動作指示信号を出力する。図３の例では、時間ｔ４に、車両制御ＥＣＵ７０から充電指示信号及びオン動作指示信号が出力されている。このような制御によって、リレー９４Ｂのオン動作及び制御部１０Ａによる充電動作（昇圧動作）が開始することになる。なお、車両制御ＥＣＵ７０は、起動後に上記所定の通知信号を受信した場合、即座に、制御部１０Ａに対する充電指示信号及び蓄電制御装置に対するオン動作指示信号を出力してもよい。
【００６０】
時間ｔ４で車両制御ＥＣＵ７０から充電指示信号及びオン動作指示信号が出力されると、その時点から、リレー９４Ｂがオン状態に切り替えられ、制御部１０Ａは電圧変換部１２に昇圧動作を行わせる制御を実行する。具体的には、第２導電路２２に印加される電圧（外部電源Ｂｐからの電力供給に基づく電圧）を入力電圧とし、この入力電圧を昇圧して所望の目標値（発電機９２の出力電圧Ｖ１よりも低い電圧Ｖｂ）を第１導電路２１に出力するように電圧変換部１２に昇圧動作を行わせる。
【００６１】
このように、本構成では、時間ｔ２の直後に検知部３０が外部端子Ｐ３と電力供給路Ｌｐとの接続を検知すると、この検知部３０の検知に応じて、制御部１０Ａが電圧変換部１２に昇圧動作を行わせ、発電機９２の出力電圧Ｖ１よりも低い電圧Ｖｂを第１導電路２１に出力することになる。
【００６２】
制御部１０Ａは、時間ｔ４に電圧変換部１２の昇圧動作を開始した後、所定の終了条件が成立した場合（例えば、蓄電部９４Ａの出力電圧が、スタータ９３にスタータ動作を行わせ得る所定の充電停止閾値（動作可能閾値）に達した場合）に、電圧変換部１２の昇圧動作を停止させる。図３の例では、時間ｔ５の時点で電圧変換部１２の昇圧動作を停止させ、電圧変換部１２による蓄電部９４Ａの充電を停止している。
【００６３】
車両制御ＥＣＵ７０は、所定の始動条件成立時（例えば、蓄電部９４Ａの出力電圧（充電電圧）がスタータ９３にスタータ動作を行わせ得る所定の充電停止閾値（動作可能閾値）に達した場合、或いは、時間ｔ４から行われた電圧変換部１２の昇圧動作が停止した場合など）に、スタータ９３に対して始動を指示し、スタータ動作を行わせるとともにエンジンを始動させる。なお、車両制御ＥＣＵ７０は、所定の始動条件成立時に自動的に発電機９２にスタータ動作を行わせエンジンを始動してもよく、所定の始動条件成立を前提とし、所定の操作スイッチ（イグニッションスイッチのオンオフを切り替える操作スイッチ）にオン操作がなされた時にスタータ９３にスタータ動作を行わせエンジンを始動してもよい。
【００６４】
スタータ９３によってスタータ動作が行われてエンジンが始動すると、発電機９２は発電動作を行う。制御部１０Ａは、このように発電機９２の発電動作が開始した後、電圧変換部１２に降圧動作を行わせる。図３の例では、制御部１０Ａが時間ｔ６から電圧変換部１２に降圧動作（所定の目標電圧（例えば、１２Ｖ）を第２導電路２２に出力する降圧動作）を行わせている。このように電圧変換部１２が降圧動作を開始した後、切替部１０Ｂは、半導体スイッチ４４をオフ状態に切り替える。切替部１０Ｂが半導体スイッチ４４をオフ状態に切り替えた後には、外部端子Ｐ３から電力供給路Ｌｐを取り外しても支障はない。
【００６５】
図３の例では、時間ｔ３で半導体スイッチ４４がオン状態に切り替えられてから、時間ｔ６で降圧動作が開始されるまで、第２導電路２２には外部電源Ｂｐの電力に基づく電圧が印加され、時間ｔ６で降圧動作が開始された後は、第２導電路２２に対して電圧変換部１２の出力に基づく電圧を印加することができる。そして、このように電圧変換部１２が第２導電路２２に所定の出力電圧（例えば、１２Ｖ）を印加する降圧動作を行い且つ半導体スイッチ４４がオフ状態となっている状態が電圧変換部１２の正常出力状態（通常状態）であり、車両動作中は、イグニッションスイッチがオフ状態に切り替わるまで、このような正常出力状態（通常状態）が継続する。
【００６６】
なお、図３の例では、発電機９２が始動して発電動作を行う前の時間ｔ５で電圧変換部１２の昇圧動作を停止させているが、時間ｔ４で電圧変換部１２が昇圧動作を開始した後、発電機９２が始動して発電動作を行った後に、電圧変換部１２の昇圧動作を停止させてもよい。例えば、時間ｔ４の後、蓄電部９４Ａの出力電圧がスタータ９３にスタータ動作を行わせ得る所定閾値（動作可能閾値）に達した場合に電圧変換部１２の昇圧動作が継続している状態でスタータ９３にスタータ動作を行わせるとともにエンジンを始動させ、エンジンの始動に応じて発電機９２が発電を開始した後に、電圧変換部１２の昇圧動作を停止させてもよい。
【００６７】
次に、本構成の効果を例示する。
上記車載用電源装置１では、外部端子Ｐ３に電力供給路Ｌｐが接続されたことを検知部３０が検知し、給電回路部４０では、少なくとも外部端子Ｐ３に外部の電力供給路Ｌｐが接続されている場合に、外部端子Ｐ３側から第２導電路２２側に電流が流れることが許容される。そして、制御部１０Ａは、このように外部端子Ｐ３を介して外部から第２導電路２２側に電力が供給される状態で電圧変換部１２（昇降圧回路部）に昇圧動作を行わせるため、蓄電部９４Ａに電気的に接続された第１導電路２１に対して相対的に高い電圧を印加することができ、蓄電部９４Ａの充電を良好に行うことができる。特に、蓄電部９４Ａの充電電圧が低下して車載機器を動作させることに支障が生じるような場面において、外部電源Ｂｐの接続を確実に検知し、外部電源Ｂｐに基づく供給電圧を昇圧した形で蓄電部９４Ａの充電が可能となるため、このような場面で適正な復帰が可能となる。
【００６８】
給電回路部４０は、少なくとも第２導電路２２が所定の正常出力状態である場合に第２導電路２２から外部端子Ｐ３側に電流が流れることを遮断し、外部端子Ｐ３に電力供給路Ｌｐが接続された場合に外部端子Ｐ３側から第２導電路２２側に電流が流れる構成となっている。
【００６９】
このように構成された車載用電源装置１は、第２導電路２２が正常出力状態であるときには、第２導電路２２から外部端子Ｐ３側に電流が流れることを防ぎ、第２導電路２２の影響を受けにくい状態で外部端子Ｐ３を維持することができる。一方で、外部端子Ｐ３に電力供給路Ｌｐが接続された場合（即ち、外部電源Ｂｐから外部端子Ｐ３を介して電力が供給され得る場合）には、外部端子Ｐ３側から第２導電路２２側に電流が流れる状態となり、外部電源Ｂｐに基づく入力電圧を昇圧して第１導電路２１に印加する昇圧動作を行うことが可能となる。
【００７０】
給電回路部４０は、外部端子Ｐ３にアノードが電気的に接続され第２導電路２２にカソードが電気的に接続されたダイオード部４４Ｂと、第２導電路２２と外部端子Ｐ３との間で導通状態と非導通状態とに切り替わるスイッチ部４４Ａとを備えた半導体スイッチ４４と、外部端子Ｐ３と電力供給路Ｌｐとの接続を検知部３０が検知していない場合にスイッチ部４４Ａを非導通状態とし、外部端子Ｐ３と電力供給路Ｌｐとの接続を検知部３０が検知した場合にスイッチ部４４Ａを導通状態とする切替部１０Ｂとを有する。
【００７１】
このように構成された車載用電源装置１は、外部端子Ｐ３と電力供給路Ｌｐとの接続（即ち、外部電源Ｂｐから外部端子Ｐ３を介して電力が供給される状態）を検知部３０が検知していない場合には第２導電路２２から外部端子Ｐ３側に電流が流れることを防ぎ、外部端子Ｐ３と電力供給路Ｌｐとの接続を検知部３０が検知した場合には、スイッチ部４４Ａを導通状態とすることができるため、外部端子Ｐ３側から第２導電路２２側に電流を流すことができ、且つその際の導通損失を抑えることができる。
【００７２】
第１導電路２１は所定電圧Ｖ１を出力する発電機９２が電気的に接続された導電路であり、制御部１０Ａは、外部端子Ｐ３と電力供給路Ｌｐとの接続を検知部３０が検知した場合に、発電機９２の出力電圧Ｖ１よりも低い電圧Ｖｂを第１導電路２１に出力するように電圧変換部１２（昇降圧回路部）に昇圧動作を行わせる。
【００７３】
このように構成された車載用電源装置１は、例えば、発電機９２の発電動作と電圧変換部１２の昇圧動作とを同時期に行う場合（例えば、発電機９２の発電動作後に電圧変換部１２の昇圧動作を停止させるような方法を採用する場合など）に、発電機９２の電力を優先的に利用して蓄電部９４Ａを充電することができるため、外部電源Ｂｐの電力消費を抑えやすくなる。
【００７４】
電圧変換部１２は、降圧動作又は昇圧動作を選択的に行う昇降圧回路部として構成されている。
【００７５】
この車載用電源装置１は、降圧動作を行うべき正常時には第１導電路２１に印加された電圧を降圧して第２導電路２２に印加する降圧動作を行うことができ、外部端子Ｐ３に外部電源Ｂｐを接続させて充電させるべき場合には外部端子Ｐ３に電力供給路Ｌｐが接続されたことを条件として昇圧動作を行うことができる構成を、より簡易に実現することができる。
【００７６】
＜実施例２＞
次に、実施例２について説明する。
図４は、実施例２の車載用電源装置２０１（以下電源装置２０１ともいう）を備えた車載用電源システム２００を概念的に示すものである。車載用電源システム２００は、電源装置１に代えて電源装置２０１を用いている点以外は実施例１の車載用電源システム１００と同一である。即ち、図４の例において、電源装置２０１以外の部分の構成及び機能は実施例１と同様である。実施例２の電源装置２０１は、電圧変換部１２に代えて電圧変換部２１２を設けた点、及び制御部１０Ａが昇圧回路部２１２Ａの昇圧動作及び降圧回路部２１２Ｂの降圧動作を個別に制御する点以外は実施例１の電源装置１と同一である。
【００７７】
電源装置２０１に設けられた電圧変換部２１２は、蓄電部９４Ａに電気的に接続される第１導電路２１と第２導電路２２との間において、これらの導電路に接続された形で設けられている。第１導電路２１に印加された電圧を降圧して第２導電路２２に印加する降圧動作を行う降圧回路部２１２Ｂと、降圧回路部２１２Ｂとは別の経路として構成され、第２導電路２２に印加された電圧を昇圧して第１導電路２１に印加する昇圧回路部２１２Ａとを備え、降圧回路部２１２Ｂと昇圧回路部２１２Ａとが第１導電路２１と第２導電路２２との間に並列に設けられている。
【００７８】
昇圧回路部２１２Ａは、例えば、半導体スイッチング素子及びインダクタなどを備えてなる公知の昇圧型ＤＣＤＣコンバータとして構成されている。具体的には、昇圧回路部２１２Ａは、例えば同期整流方式の非絶縁型ＤＣＤＣコンバータとして構成され、昇圧動作を行う場合、第２導電路２２に印加された入力電圧を同期整流方式で昇圧して第１導電路２１に出力する。
【００７９】
降圧回路部２１２Ｂは、例えば、半導体スイッチング素子及びインダクタなどを備えてなる公知の降圧型ＤＣＤＣコンバータとして構成されている。具体的には、降圧回路部２１２Ｂは、例えば同期整流方式の非絶縁型ＤＣＤＣコンバータとして構成され、降圧動作を行う場合、第１導電路２１に印加された入力電圧を同期整流方式で降圧して第２導電路２２に出力する。
【００８０】
制御部１０Ａの制御は、昇圧モードの制御と降圧モードの制御とが実施例１と若干異なるだけであり、昇圧動作及び降圧動作を行わせる制御以外は実施例１と同一である。制御部１０Ａは、降圧モードの制御を行う場合、第１導電路２１に印加された電圧を降圧して第２導電路２２に出力電圧を印加し、出力電圧が上述した目標電圧値Ｖａ（例えば、１２Ｖ）となるように降圧回路部２１２Ｂに対しＰＷＭ信号を制御信号としたフィードバック制御を行う。制御部１０Ａは、昇圧モードの制御を行う場合、第２導電路２２に印加された電圧を降圧して第１導電路２１に出力電圧を印加し、出力電圧が上述した目標電圧値Ｖｂ（例えば、発電機９２の出力電圧よりも少し低い値）となるように昇圧回路部２１２Ａに対しＰＷＭ信号を制御信号としたフィードバック制御を行う。
【００８１】
本構成でも、実施例１と同様の流れ（図３で示す流れ）で制御を行うことができる。但し、時間ｔ４以降に昇圧動作を行う場合に昇圧回路部２１２Ａを動作させ、時間ｔ１前又は時間ｔ６以降に降圧動作を行う場合に降圧回路部２１２Ｂを動作させる点のみが実施例１と異なる。
【００８２】
本構成の車載用電源装置２０１は、蓄電部９４Ａから閾値電圧Ｖｔｈ１以上の電圧が出力される正常状態のときに、第１導電路２１に印加された電圧を降圧して第２導電路２２に印加するように降圧回路部２１２Ｂによって降圧動作を行うことができ、このときには第２導電路２２を介して負荷９８などに適正な電力を供給することができる。一方、蓄電部９４Ａの出力停止時などにおいて、作業者の作業により、外部端子Ｐ３に電力供給路Ｌｐが接続されたとき（即ち、外部端子Ｐ３を介して外部電源Ｂｐからの電力が供給されるとき）には、第２導電路２２に印加された電圧を昇圧して第１導電路２１に印加するように昇圧回路部２１２Ａによって昇圧動作を行うことができる。しかも、降圧動作と昇圧動作とを別々の回路部で独立して行うことができるため、いずれか一方の動作が他方の動作の制約を受けにくくなる。
【００８３】
なお、図３では、昇圧動作と降圧動作を別々の時期に行う例を示したが、この例に限定されない。例えば、制御部１０Ａは、外部端子Ｐ３と電力供給路Ｌｐとの接続を検知部３０が検知した場合に、昇圧回路部２１２Ａに昇圧動作を行わせつつ降圧回路部２１２Ｂに降圧動作を行わせるように制御を行ってもよい。このようにすれば、蓄電部９４Ａを充電し得る昇圧動作時に降圧動作を並行して行うことができるため、充電時であっても第２導電路２２に接続された機器に対して適正な電力を供給することができる。
【００８４】
このように昇圧動作と降圧動作とを並行して行う例としては、例えば、図３で示すシーケンスにおいて、時間ｔ４以降の制御を若干変更した例などが挙げられる。例えば、制御部１０Ａは、図３の時間ｔ４以降に昇圧回路部２１２Ａを制御して昇圧動作を行わせた場合、所定の降圧動作開始時（例えば、蓄電装置９４のリレー９４Ｂがオン状態になった時、或いは、蓄電部９４Ａの出力電圧（充電電圧）が一定値（上述した充電停止閾値よりも低い所定値）を超えた時など）以降は、昇圧回路部２１２Ａに昇圧動作を行わせつつ降圧回路部２１２Ｂに降圧動作を行わせるように制御を行ってもよい。この場合、降圧動作の開始タイミングを図３で示す時間ｔ６から上記降圧動作開始時まで早めることができる。なお、この場合、昇圧動作の終了タイミングは、実施例１と同様、図３で示す時間ｔ５（発電機９２の始動前の時期）としてもよく、発電機９２の始動後としてもよい。
【００８５】
＜他の実施例＞
本発明は上記記述及び図面によって説明した実施例に限定されるものではなく、例えば次のような実施例も本発明の技術的範囲に含まれる。また、上述した実施例や後述する実施例は矛盾しない範囲で組み合わせることが可能である。
【００８６】
実施例１、２では、図１のように、半導体スイッチ４４を主体として構成された給電回路部４０を例示したが、実施例１、２又はこれらを変更したいずれの例においても、図５のような給電回路部３４０に変更してもよい。なお、図５で示す車載用電源装置３０１は、給電回路部４０を給電回路部３４０に変更し、半導体スイッチ４４のオンオフ制御を省略した点以外は、実施例１の車載用電源装置１と同様の構成である。図５で示す給電回路部３４０は、外部端子Ｐ３にアノードが電気的に接続され第２導電路２２にカソードが電気的に接続されたダイオード３４２によって構成され、スイッチ部が存在しない構成となっている。図５の車載用電源装置３０１でも、第２導電路２２が所定の正常出力状態である場合（電圧変換部１２の降圧動作によって第２導電路２２に所定値（例えば、１２Ｖ）の出力電圧が印加され、外部端子Ｐ３と電力供給路Ｌｐが接続されていない状態である場合）に第２導電路２２から外部端子Ｐ３側に電流が流れることを遮断することができ、上記正常出力状態のときに外部端子Ｐ３の電位を第２導電路２２の電位よりも十分低い値に保つことができる。そして、外部端子Ｐ３に電力供給路Ｌｐが接続された場合には、外部電源Ｂｐからの電力供給に基づいて外部端子Ｐ３側から第２導電路２２側に電流を流すことができる。そして、このような機能を、より簡易な構成で実現できる。なお、図５の構成における制御装置１０の制御は、図１における半導体スイッチ４４のオンオフ制御が省略された点以外は実施例１と同様であり、制御部１０Ａが実施例１と同様な制御を行うことになる。
【００８７】
実施例１、２では、発電機９２とスタータ９３が電源路８１に電気的に接続された形で別々に設けられていたが、実施例１、２又はこれらを変更したいずれの例においても、発電機とスタータとが一体となった発電機兼スタータでもよい。
【００８８】
実施例１、２では、判定回路として構成される検知部３０を例示したが、施例１、２又はこれらを変更したいずれの例においても、検知部は、外部端子Ｐ３に外部電源Ｂｐが電気的に接続されたことを検知することができ、検知時に制御装置１０に対して検知信号を出力し得る構成であればよい。
【００８９】
実施例１では、出力側となる第２導電路２２にバッテリ（蓄電部９４Ａとは異なるバッテリ）が接続されていない構成を例示したが、実施例１、２又はこれらを変更したいずれの例においても、何らかの蓄電手段が第２導電路２２に電気的に接続されていてもよい。
【符号の説明】
【００９０】
１，２０１，３０１…車載用電源装置
１０Ａ…制御部
１０Ｂ…切替部
１２…電圧変換部（昇降圧回路部）
２１…第１導電路
２２…第２導電路
３０…検知部
４０，３４０…給電回路部
４４…半導体スイッチ
９２…発電機
２１２…電圧変換部
２１２Ａ…昇圧回路部
２１２Ｂ…降圧回路部
３４２…ダイオード
Ｂｐ…外部電源
Ｌｐ…電力供給路
Ｐ３…外部端子
【図１】
2018094954.tif 000003
【図２】
2018094954.tif 000004
【図３】
2018094954.tif 000005
【図４】
2018094954.tif 000006
【図５】
2018094954.tif 000007